(57)【要約】【課題】電磁誘導加熱器により誘導電流を発生させて、電磁誘導加熱器の利用範囲を広げ、電磁誘導加熱器用でない家庭用電気器具にも適用可能な誘導電流電源装置および誘導電流電気器具を提供する。【解決手段】誘導電流電源装置１１は、電磁誘導加熱器に対し誘導電流を発生するよう電磁結合可能なコイル１１ａと、コイル１１ａに電気的に接続した電流出力端子１１ｂとを有する。容器１２は、コイル１１ａの上側に設けられている。負荷１３は、コイル１１ａに電気的に接続しており、容器１２の内部を加熱可能である。電流入力端子１６は、負荷１３に電気的に接続している。電流出力端子１１ｂは、コイル１１ａに電気的に接続している。スイッチ１４は、コイル１１ａと電流出力端子１１ｂとの間に接続している。【選択図】図１
2004251600.tif 000002
【特許請求の範囲】
【請求項１】
電磁誘導加熱器に対し誘導電流を発生するよう電磁結合可能なコイルと、
前記コイルに電気的に接続した電流出力端子とを、
有することを特徴とする誘導電流電源装置。
【請求項２】
電磁誘導加熱器に対し誘導電流を発生するよう電磁結合可能なコイルと、
前記コイルに電気的に接続し、前記コイルの上側に設けられた負荷とを、
有することを特徴とする誘導電流電気器具。
【請求項３】
電磁誘導加熱器に対し誘導電流を発生するよう電磁結合可能なコイルと、
前記コイルの上側に設けられた容器と、
前記コイルに電気的に接続しており、前記容器の内部を加熱可能な負荷とを、
有することを特徴とする誘導電流電気器具。
【請求項４】
前記コイルと前記負荷との間にスイッチを有することを、特徴とする請求項２または３記載の誘導電流電気器具。
【請求項５】
前記負荷に電気的に接続した電流入力端子を有することを、特徴とする請求項２，３または４記載の誘導電流電気器具。
【請求項６】
前記コイルに電気的に接続した電流出力端子を有することを、特徴とする請求項２，３，４または５記載の誘導電流電気器具。
【請求項７】
前記コイルと前記電流出力端子との間にスイッチを有することを、特徴とする請求項６記載の誘導電流電気器具。
【請求項８】
前記負荷は電気調理器具から成ることを、特徴とする請求項２，３，４，５，６または７記載の誘導電流電気器具。
【発明の詳細な説明】
【０００１】
【発明の属する技術分野】
本発明は、電磁誘導加熱器用の誘導電流電源装置および誘導電流電気器具に関する。
【０００２】
【従来の技術】
電磁誘導加熱器は、加熱位置に金属製の調理容器を置いて使用される。電磁誘導加熱器は、加熱位置のプレートの下側に内設されたコイルに電流を断続的に流し、発生する磁カ線を変化させる。この磁力線の変化により、調理容器の底に電磁誘導による渦電流を発生させ、その渦電流で調理容器を加熱して煮炊きすることができる。
【０００３】
しかし、電磁誘導加熱器で使用できる調理容器は、渦電流の電流抵抗による発熱効果が大きいものに限られるという問題がある。例えば、鉄、鋳鉄、ステンレスなどの金属を素材とした、底が平らな調理容器は使用できるが、電磁誘導を起こさない絶縁物である陶製の鍋、土鍋、土瓶などの調理容器は使用することができない。また、金属製であっても、電流抵抗による発熱効果の小さいアルミニウムや銅製の調理容器も使用することはできない。このため、電磁誘導加熱器では、火や電熱体などの輻射熱を利用する、焼き魚などの焼き物や鍋料理などをつくることはできない。また、アルミニウムや銅製のやかん、土瓶などで湯茶を沸かすこともできない。
【０００４】
そこで、これらの問題を解決するために、従来の電磁誘導加熱器用の調理器具として、凹部のついた電磁性発熱板や磁性金属性の発熱網を利用して土鍋を加熱するもの（特許文献１参照）や、底部外面に銀を主成分とする薄膜金属被膜を形成し、熱伝導性を良好にしたセラミック製の土鍋（特許文献２参照）などがある。
【０００５】
【特許文献１】
特開平１０−１３７１３０号公報
【特許文献２】
特開平７−６８７０号公報
【０００６】
【発明が解決しようとする課題】
しかしながら、特許文献１，２に示す従来の電磁誘導加熱器用の調理器具は、土鍋のような調理容器には適用できても、電気トースター、電気炊飯器その他の家庭用電気器具にまで適用することはできないという課題があった。
【０００７】
本発明は、このような従来の課題に着目してなされたもので、電磁誘導加熱器の利用範囲を広げ、電磁誘導加熱器用でない家庭用電気器具にも適用可能な誘導電流電源装置および誘導電流電気器具を提供することを目的とする。
【０００８】
【課題を解決するための手段】
上記目的を達成するために、本発明に係る誘導電流電源装置は、電磁誘導加熱器に対し誘導電流を発生するよう電磁結合可能なコイルと、前記コイルに電気的に接続した電流出力端子とを、有することを特徴とする。
【０００９】
本発明に係る誘導電流電源装置は、コイルを電磁誘導加熱器の加熱位置に載せて使用される。なお、コイルは、プラスチックなどの絶縁体で覆われており、絶縁体を隔てて電磁誘導加熱器と電磁結合可能となっている。その絶縁体は、回転台であってもよい。電磁誘導加熱器は、磁力発生用コイルに断続的に電流を流し、発生する磁力線を変化させる。この変化する磁力線が加熱位置に載せられたコイルを貫き、電磁誘導によってコイルに起電力が発生して電流が流れる。こうして、本発明に係る誘導電流電源装置は、電磁誘導加熱器によりコイルに誘導電流を発生させることができる。
【００１０】
本発明に係る誘導電流電源装置は、発生した電流をコイルに接続した電流出力端子により取り出すことができる。電流出力端子は、コンセントから成ることが好ましい。この場合、電気トースター、電気コンロ、電気ポット、電気オーブントースター、電気魚焼き器、電気炊飯器、電気なべ、電気コーヒー沸かし器、電気ミキサーその他の市販の家庭用電気器具を、そのプラグをコンセントに差し込んで使用することができる。このため、本発明に係る誘導電流電源装置は、電磁誘導加熱器の利用範囲を広げ、電磁誘導加熱器用でない家庭用電気器具の使用を可能にする。
【００１１】
本発明に係る誘導電流電気器具は、電磁誘導加熱器に対し誘導電流を発生するよう電磁結合可能なコイルと、前記コイルに電気的に接続し、前記コイルの上側に設けられた負荷とを、有することを特徴とする。
【００１２】
本発明に係る誘導電流電気器具は、コイルを電磁誘導加熱器の加熱位置に載せて使用される。なお、コイルは、プラスチックなどの絶縁体で覆われており、絶縁体を隔てて電磁誘導加熱器と電磁結合可能となっている。その絶縁体は、回転台であってもよい。電磁誘導加熱器は、磁力発生用コイルに断続的に電流を流し、発生する磁力線を変化させる。この変化する磁力線が加熱位置に載せられたコイルを貫き、電磁誘導によってコイルに起電力が発生して電流が流れる。こうして、本発明に係る誘導電流電気器具は、電磁誘導加熱器によりコイルに誘導電流を発生させることができる。
【００１３】
本発明に係る誘導電流電気器具は、発生した電流をコイルに接続した負荷に流すことができる。負荷は、電熱器、電気トースター、電気コンロ、電気ポット、電気オーブントースター、電気魚焼き器、電気炊飯器、電気なべ、電気コーヒー沸かし器、電気ミキサーその他の家庭用電気器具で構成することができる。この場合、本発明に係る誘導電流電気器具は、負荷の種類に応じて、電磁誘導加熱器用でない家庭用電気器具にも適用可能である。
【００１４】
また、他の本発明に係る誘導電流電気器具は、電磁誘導加熱器に対し誘導電流を発生するよう電磁結合可能なコイルと、前記コイルの上側に設けられた容器と、前記コイルに電気的に接続しており、前記容器の内部を加熱可能な負荷とを、有することを特徴とする。なお、コイルは、プラスチックなどの絶縁体で覆われており、絶縁体を隔てて電磁誘導加熱器と電磁結合可能となっている。その絶縁体は、回転台であってもよい。
【００１５】
この本発明では、負荷は電熱器などの発熱体から成ることが好ましい。負荷が発熱体から成る場合、容器がアルミニウムや銅製の調理器具、土鍋などの電磁誘導加熱器で使用できない種類のものであっても、負荷により容器の内部を加熱して調理することができる。また、容器に網を置いて焼き魚などの焼き物をしてもよい。このように、この本発明に係る誘導電流電気器具は、電磁誘導加熱器の利用範囲を広げ、電磁誘導加熱器用でない容器にも適用可能である。
【００１６】
本発明に係る誘導電流電気器具は、前記コイルと前記負荷との間にスイッチを有してもよい。この場合、スイッチを入れることにより、コイルから負荷に電流を流し、スイッチを切ることにより、コイルから負荷に流れる電流を止めることができるため、使い勝手がよい。
【００１７】
本発明に係る誘導電流電気器具は、前記負荷に電気的に接続した電流入力端子を有してもよい。この場合、コイルからの電流により負荷を稼動させても、電流入力端子を電流出力端子に接続して負荷を稼動させてもよい。なお、電流入力端子は家庭用電源用のプラグから成ることが好ましい。
【００１８】
また、前記コイルに電気的に接続した電流出力端子を有してもよい。電流出力端子は、コンセントから成ることが好ましい。この場合、電気トースター、電気炊飯器その他の市販の家庭用電気器具を、そのプラグをコンセントに差し込んで使用することができる。さらに、前記コイルと前記電流出力端子との間にスイッチを有してもよい。
【００１９】
本発明に係る誘導電流電気器具では、前記負荷は電気調理器具から成ってもよい。この場合、本発明に係る誘導電流電気器具は、負荷の種類に応じて、電磁誘導加熱器用でない電気調理器具にも適用可能であり、電磁誘導加熱器の利用範囲を広げることができる。
前述の本発明に係る誘導電流電源装置または誘導電流電気器具では、コイルを電磁石にするための電源がコイルに接続可能となっていてもよい。その電源は、例えば電池などから成る。この構成では、電源をコイルに接続してコイルを電磁石にすることにより、コイルを鉄板の上や、火を付けていないコンロの上などに置いたときに、それらにコイルを吸着させて安定性を高めることができる。
【００２０】
【発明の実施の形態】
以下、図面に基づき、本発明の各種実施の形態について説明する。
図１および図２は、本発明の第１の実施の形態を示している。
図１に示すように、誘導電流電気器具１０は、誘導電流電源装置１１と容器１２と負荷１３とスイッチ１４と電源端子１５と電流入力端子１６とを有している。
【００２１】
図１および図２に示すように、誘導電流電源装置１１は、コイル１１ａと電流出力端子１１ｂとを有している。コイル１１ａは、円盤状に形成され、２つの端子を有する。コイル１１ａは、電磁誘導加熱器に対し誘導電流を発生するよう電磁結合可能である。なお、コイル１１ａは、プラスチックなどの絶縁体のカバーで覆われており、そのカバーを隔てて電磁誘導加熱器と電磁結合可能となっている。電流出力端子１１ｂは、コンセントから成り、２つの差込口を有する。電流出力端子１１ｂは、一方の差込口の接続端子をコイル１１ａの一方の端子に、他方の差込口の接続端子をコイル１１ａの他方の端子に電気的に接続している。電流出力端子１１ｂは、市販の電気調理器具のプラグを差込可能である。
【００２２】
図１に示すように、容器１２は、平面が円状の鍋から成り、耐熱性を有した素材から成っている。容器１２は、底部１２ａが平坦であり、その裏面にコイル１１ａが取り付けられている。負荷１３は、電熱器から成り、２つの端子を有する。負荷１３は、容器１２の内側に底部１２ａの全体を覆うよう面状に取り付けられている。負荷１３は、容器１２の内部を加熱可能である。容器１２の内部で負荷１３の上には、鍋などを載せることができる。
【００２３】
スイッチ１４は、フリップフロップ式の手動スイッチから成り、２つの端子を有する。スイッチ１４は、スイッチが容器１２の外側に、各端子が容器１２の内側に配置されるよう容器１２の側面に取り付けられている。電源端子１５は、２つの中継端子を有し、容器１２の内部側面に取り付けられている。
【００２４】
電流入力端子１６は、２つの差込ブレードを有するプラグ１６ａと各差込ブレードに電気的に接続された２本のケーブル１６ｂとを有する。電流入力端子１６は、プラグ１６ａが容器１２の外側に、各ケーブル１６ｂの端部が容器１２の内側に配置されるよう、各ケーブル１６ｂが容器１２の側面を貫通して取り付けられている。電流入力端子１６は、プラグ１６ａを電流出力端子１１ｂまたは家庭用コンセントに差込可能である。
【００２５】
図１に示すように、負荷１３の一方の端子は、スイッチ１４の一方の端子に、負荷１３の他方の端子は、電源端子１５の一方の中継端子に電気的に接続されている。スイッチ１４の他方の端子は、電源端子１５の他方の中継端子に電気的に接続されている。電流入力端子１６の一方のケーブル１６ｂの端部は、電源端子１５の一方の中継端子に、他方のケーブル１６ｂの端部は、電源端子１５の他方の中継端子に電気的に接続されている。
【００２６】
次に、作用について説明する。
誘導電流電気器具１０は、電流入力端子１６のプラグ１６ａを電流出力端子１１ｂのコンセントに差し込み、コイル１１ａを電磁誘導加熱器の加熱位置に載せて使用することができる。電磁誘導加熱器を稼働させると、磁力発生用コイルに断続的に電流が流れ、発生する磁力線が変化する。この変化する磁力線が加熱位置に載せられたコイル１１ａを貫き、電磁誘導によってコイル１１ａに起電力が発生する。ここで、スイッチ１４を入れると、コイル１１ａから負荷１３までの回路が閉回路になり、コイル１１ａに発生した起電力によって電流が流れる。こうして、誘導電流電気器具１０は、電磁誘導加熱器によりコイル１１ａに誘導電流を発生させることができる。
【００２７】
発生した電流は、負荷１３に流れ、負荷１３が発熱して容器１２の内部を加熱する。誘導電流電気器具１０では、この熱を利用して調理を行うことができる。例えば、容器１２の負荷１３の上に、アルミニウムや銅製の調理器具、土鍋などの電磁誘導加熱器で使用できない調理器具を置いて調理したり、容器１２の負荷１３の上に網を置いて焼き魚などの焼き物をしたりすることもできる。
【００２８】
このように、誘導電流電気器具１０は、アルミニウムや銅製の調理器具、土鍋などの電磁誘導加熱器で使用できない調理器具をそのまま使用して調理することができる。このため、誘導電流電気器具１０は、電磁誘導加熱器の利用範囲を広げることができる。なお、誘導電流電気器具１０は、スイッチ１４を切ることにより、コイル１１ａから負荷１３に流れる電流を止めて、負荷１３の発熱を止めることができる。
【００２９】
誘導電流電源装置１１は、発生した電流をコイル１１ａに接続した電流出力端子１１ｂにより取り出すことができる。このため、電気トースター、電気コンロ、電気ポット、電気オーブントースター、電気魚焼き器、電気炊飯器、電気なべ、電気コーヒー沸かし器、電気ミキサーなどの市販の電気調理器具のプラグを電流出力端子１１ｂのコンセントに差し込んで使用することもできる。このように、誘導電流電源装置１１は、電磁誘導加熱器の利用範囲を広げることができる。
【００３０】
また、市販の電気調理器具は、家屋の壁面に付設された電気コンセントから電源をとるため、プラグ付き電源コードを有している。従来、電気調理器具を使う時や、収納する時は、電源コードを伸ばしたり丸めたり、プラグを電気コンセントに差し込んだり、抜いたりといった手数や手間がかかり不便であった。しかし、誘導電流電源装置１１では、市販の電気調理器具の電源コードを、家屋の壁面の電気コンセントまで伸ばす必要がなく、誘導電流電源装置１１を電磁誘導加熱器の加熱位置に載せ、電流出力端子１１ｂのコンセントにその電源コードを接続するだけで稼動させることができるので、電源コードを伸ばす手数や手間を減らすことができ便利である。
【００３１】
図３および図４は、本発明の第２の実施の形態を示している。
図３に示すように、誘導電流電気器具２０は、コイル２１ａと容器２２と負荷２３とを有している。
【００３２】
コイル２１ａは、円盤状に形成され、２つの端子を有する。コイル２１ａは、電磁誘導加熱器に対し誘導電流を発生するよう電磁結合可能である。なお、コイル２１ａは、プラスチックなどの絶縁体のカバーで覆われており、そのカバーを隔てて電磁誘導加熱器と電磁結合可能となっている。図３に示すように、容器２２は、平面が円状の鍋から成り、耐熱性を有した素材から成っている。容器２２は、底部２２ａが平坦であり、その裏面にコイル２１ａが取り付けられている。
【００３３】
負荷２３は、電熱器から成り、２つの端子を有する。負荷２３は、容器２２の底を覆うように容器２２の内部側面に取り付けられている。負荷２３は、容器２２の内部を加熱可能である。図３に示すように、負荷２３の一方の端子は、コイル２１ａの一方の端子に、負荷２３の他方の端子は、コイル２１ａ他方の端子に電気的に接続されている。
【００３４】
次に、作用について説明する。
誘導電流電気器具２０は、コイル２１ａを電磁誘導加熱器の加熱位置に載せて使用される。電磁誘導加熱器を稼働させると、磁力発生用コイルに断続的に電流が流れ、発生する磁力線が変化する。この変化する磁力線が加熱位置に載せられたコイル２１ａを貫き、電磁誘導によってコイル２１ａに起電力が発生する。コイル２１ａから負荷２３までの回路が閉回路であるため、コイル２１ａに発生した起電力によって電流が流れる。こうして、誘導電流電気器具２０は、電磁誘導加熱器によりコイル２１ａに誘導電流を発生させることができる。
【００３５】
発生した電流は、負荷２３に流れ、負荷２３が発熱して容器２２の内部を加熱する。誘導電流電気器具２０では、この熱を利用して調理を行うことができる。例えば、容器２２にアルミニウムや銅製の調理器具、土鍋などの電磁誘導加熱器で使用できない調理器具を置いて調理したり、容器２２に網を置いて焼き魚などの焼き物をしたりすることもできる。なお、負荷２３の発熱を止める場合には、コイル２１ａを容器２２ごと加熱位置から外し、再び加熱する場合は、コイル２１ａを加熱位置に戻す。
【００３６】
このように、誘導電流電気器具２０は、アルミニウムや銅製の調理器具、土鍋などの電磁誘導加熱器で使用できない調理器具をそのまま使用して調理することができる。このため、誘導電流電気器具２０は、電磁誘導加熱器の利用範囲を広げることができる。
【００３７】
なお、図４に示すように、誘導電流電気器具２０は、コイル２１ａと負荷２３との間にスイッチ２４を有してもよい。この場合、スイッチ２４を入れることにより、コイル２１ａから負荷２３に電流を流し、スイッチ２４を切ることにより、コイル２１ａから負荷２３に流れる電流を止めることができる。
【００３８】
図５および図６は、本発明の第３の実施の形態を示している。
図５に示すように、誘導電流電気器具３０は、誘導電流電源装置３１と電気調理器具３３とを有している。
【００３９】
図５に示すように、誘導電流電源装置３１は、コイル３１ａと電流出力端子３１ｂとを有している。コイル３１ａは、円盤状に形成され、２つの端子を有する。コイル３１ａは、電磁誘導加熱器に対し誘導電流を発生するよう電磁結合可能である。なお、コイル３１ａは、プラスチックなどの絶縁体のカバーで覆われており、そのカバーを隔てて電磁誘導加熱器と電磁結合可能となっている。カバーは、電気ポットで用いられるような回転台であってもよい。電流出力端子３１ｂは、コンセントから成り、２つの差込口を有する。電流出力端子３１ｂは、一方の差込口の接続端子をコイル３１ａの一方の端子に、他方の差込口の接続端子をコイル３１ａの他方の端子に電気的に接続している。電流出力端子３１ｂは、市販の電気調理器具のプラグを差込可能である。
【００４０】
図５に示すように、電気調理器具３３は、電気トースターから成り、電流入力端子３３ａを有している。電流入力端子３３ａは、プラグ付き電源コードから成っている。電気調理器具３３は、底部３３ｂにコイル３１ａが取り付けられている。なお、電気調理器具３３は、電気トースターに限らず、電気コンロ、電気ポット、電気ロースター、電気オーブントースター、電気魚焼き器、電気炊飯器、電気グリル、電気なべ、電気コーヒー沸かし器、電気ミキサー、電気ジューサー、マイコン炊飯器、ＩＨ炊飯器、ＩＨポット、ＩＨコーヒー沸かし器などであってもよい。
【００４１】
図６に示すように、電気調理器具３３は、誘導電流電源装置３１と商用電源１とを切り換えて利用可能に構成することができる。図６（Ａ）に示す電気調理器具３３では、誘導電流電源装置３１と商用電源１とを切り換えるための切換スイッチ３３ｃから電源端子３３ｄを介して電熱ヒーター３３ｅへ電流を流して調理を行う。このときの電力は、一例では、電圧２００〜３００Ｖ、２０〜３０ｋＨｚの交流電流である。このような電気調理器具３３としては、例えば、電気コンロ、電気ポット、電気トースター、電気ロースター、電気オーブントースター、電気炊飯器、電気グリル、電気コーヒー沸かし器などが適している。
【００４２】
図６（Ｂ）に示す電気調理器具３３では、誘導電流電源装置３１と商用電源１とを切り換えるための切換スイッチ３３ｃから、電源端子３３ｄを介して、整流回路３３ｆへ電流を流す。このときの電力は、一例では、電圧２００〜３００Ｖ、２０〜３０ｋＨｚの交流電流である。整流回路３３ｆにおいて電流を交流から直流に変換し、インバータ３３ｇで再び交流に戻し、電熱ヒーター３３ｅへ電流を流して調理を行う。このときの電力は、一例では、電圧１００Ｖ、５０〜６０Ｈｚの交流電流である。また、整流回路３３ｆには、マイコン制御回路３３ｈが接続され、調理の過程に応じて電流の制御をすることができる。なお、インバータ３３ｇは、商用電源１に切り換えたときには高周波電力を取り出し、誘導電流電源装置３１に切り換えたときには周波数を変化させて電力を制御することができる。このような電気調理器具３３としては、例えば、電気コンロ、電気ポット、電気トースター、電気ロースター、電気オーブントースター、電気炊飯器、電気グリル、電気コーヒー沸かし器、マイコン炊飯器などが適している。
【００４３】
図６（Ｃ）に示す電気調理器具３３では、誘導電流電源装置３１と商用電源１とを切り換えるための切換スイッチ３３ｃから、電源端子３３ｄを介して、整流回路３３ｆへ電流を流す。整流回路３３ｆにおいて電流を交流から直流に変換し、インバータ３３ｇで再び交流に戻し、電動機３３ｉへ電流を流して調理を行う。このときの電力は、一例では、電圧１００Ｖ、５０〜６０Ｈｚの交流電流である。このような電気調理器具３３としては、例えば、電気ミキサー、電気ジューサーなどが適している。
【００４４】
図６（Ｄ）に示す電気調理器具３３では、誘導電流電源装置３１と商用電源１とを切り換えるための切換スイッチ３３ｃから、電源端子３３ｄを介して、整流回路３３ｆへ電流を流す。整流回路３３ｆにおいて電流を交流から直流に変換し、インバータ３３ｇで再び交流に戻し、加熱コイル３３ｊへ電流を流して調理を行う。このときの電力は、一例では、２０〜３０ｋＨｚの交流電流である。また、整流回路３３ｆには、マイコン制御回路３３ｈが接続され、調理の過程に応じて電流の制御をすることができる。このような電気調理器具３３としては、例えば、ＩＨ炊飯器が適している。
【００４５】
図６（Ｅ）に示す電気調理器具３３では、誘導電流電源装置３１の場合には、切換スイッチ３３ｃを誘導電流電源装置３１側にし、電源端子３３ｄを介して加熱コイル３１ａへ直接、高周波電流を流す。商用電源１の場合には、切換スイッチ３３ｃを商用電源１側にし、電源端子３３ｄを介して、整流回路３３ｆへ電流を流す。このときの電力は、一例では、２０〜３０ｋＨｚの交流電流である。商用電源１に接続した場合、整流回路３３ｆにおいて電流を交流から直流に変換し、インバータ３３ｇで再び交流に戻し、加熱コイル３３ｊへ電流を流して調理を行う。また、整流回路３３ｆには、マイコン制御回路３３ｈが接続され、調理の過程に応じて電流の制御をすることができる。このように、図６（Ｅ）に示す電気調理器具３３では、誘導電流電源装置３１からの高周波電力で加熱コイル３１ａを加熱することができ、効率良い加熱が可能である。このような電気調理器具３３としては、例えば、ＩＨ炊飯器、ＩＨポット、ＩＨコーヒー沸かし器が適している。
【００４６】
次に、作用について説明する。
誘導電流電気器具３０は、電気調理器具３３の電流入力端子３３ａのプラグを電流出力端子３１ｂのコンセントに差し込み、コイル３１ａを電磁誘導加熱器の加熱位置に載せて使用することができる。電磁誘導加熱器を稼働させると、磁力発生用コイルに断続的に電流が流れ、発生する磁力線が変化する。この変化する磁力線が加熱位置に載せられたコイル３１ａを貫き、電磁誘導によってコイル３１ａに起電力が発生する。コイル３１ａから電気調理器具３３までの回路が閉回路であるため、コイル３１ａに発生した起電力によって電流が流れる。こうして、誘導電流電気器具３０は、電磁誘導加熱器によりコイル３１ａに誘導電流を発生させることができる。
【００４７】
発生した電流は、電気調理器具３３に流れ、電気調理器具３３を稼働して調理を行うことができる。これにより、誘導電流電気器具３０は、電磁誘導加熱器により電気調理器具３３を利用することができ、電磁誘導加熱器の利用範囲を広げることができる。なお、電流入力端子３３ａは、プラグを家庭用コンセントに差し込んで使用してもよい。
【００４８】
【発明の効果】
本発明によれば、電磁誘導加熱器の利用範囲を広げ、電磁誘導加熱器用でない家庭用電気器具にも適用可能な誘導電流電源装置および誘導電流電気器具を提供することができる。
【図面の簡単な説明】
【図１】本発明の第１の実施の形態の誘導電流電気器具を示す部分断面図である。
【図２】図１に示す誘導電流電気器具の誘導電流電源装置を示す（Ａ）平面図、（Ｂ）側面図である。
【図３】本発明の第２の実施の形態の誘導電流電気器具を示す断面図である。
【図４】図３に示す誘導電流電気器具の変形例を示す断面図である。
【図５】本発明の第３の実施の形態の誘導電流電気器具を示す側面図である。
【図６】図５に示す誘導電流電気器具の電気調理器具の構成を（Ａ）〜（Ｅ）に示すブロック図である。
【符号の説明】
１０  誘導電流電気器具
１１  誘導電流電源装置
１１ａ  コイル
１１ｂ  電流出力端子
１２  容器
１３  負荷
１４  スイッチ
１５  電源端子
１６  電流入力端子
１６ａ  プラグ
１６ｂ  ケーブル
【図１】
2004251600.tif 000003
【図２】
2004251600.tif 000004
【図３】
2004251600.tif 000005
【図４】
2004251600.tif 000006
【図５】
2004251600.tif 000007
【図６】
2004251600.tif 000008